(57)【特許請求の範囲】
【請求項１】
マスクの外鼻孔下部対応部より上部であって、鼻の左右両脇の対応位置に、２本の緊縛紐の一端を夫々固定すると共に、該２本の緊縛紐を外鼻孔下部対応部にて交差させると共に少なくともマスクの側端部まで延設して配置したことを特徴とするマスク。
【請求項２】
マスクの側端部に配置された前記緊縛紐は、マスクの上端部側部に設けた通孔部を貫通して、マスクの外方に延設され、他端をマスクの下端部の側端部に固定され、該外方に延設された緊縛紐により耳掛部を構成したことを特徴とする請求項１に記載のマスク。
【請求項３】
マスクの側端部に配置された前記緊縛紐は、マスクの下端部側部に設けた通孔部を貫通して、マスクの外方に延設され、他端をマスクの上端部の側端部に固定され、該外方に延設された緊縛紐により耳掛部を構成したことを特徴とする請求項１に記載のマスク。
【請求項４】
前記緊縛紐の他端をマスク本体の側端部に固定すると共にマスク本体の側端部には耳掛部を別途設けたことを特徴とする請求項１に記載のマスク。
【請求項５】
前記緊縛紐の一端を固定した固定部間に補強材を設けたことを特徴とする請求項１から４のうちいずれか１項に記載のマスク。
【請求項６】
前記緊縛紐の上端を、マスク上端縁より所定の距離を置いて下方に固定設置し、該固定部間に鼻の上を通る補強材を設けたことを特徴とする請求項５に記載のマスク。
【請求項７】
前記緊縛紐一端のマスクへの固定を選択固定自在とする所定数の固定部を設けたことを特徴とする請求項１から６のうちいずれか１項に記載のマスク。
【請求項８】
所定数の固定部は、独立してマスクに固定して設けるか、固定部をマスクに取付けたアダプターに設けたことを特徴とする請求項７に記載のマスク。
【発明の詳細な説明】
【技術分野】
【０００１】
本発明は、マスクに関する。
【背景技術】
【０００２】
従来のマスクは、それを顔面に装着した際に、マスクの両側端に係止されている紐が耳に掛けられることにより、マスク上端縁が直接的に引っ張られる。その場合、マスク上端縁は鼻柱により中央が高くなり、両頬との間に隙間があいてしまうことになる。これにより、鼻息の出入が排気と繋がり、本来マスクの鼻孔を塞ぐという役が損なわれ、塵埃、花粉、細菌等の侵入が防げなくなってしまうことになっていた。又、鼻孔からの息の吐出が、この隙間から上昇して眼鏡の曇りの原因ともなっていた。
【０００３】
これらの欠点を改良するために、マスク上端部に鼻の形に合う山状の鼻当て部のある非通気性の柔軟性部を用いたメガネ曇り防止装置を備えたマスク（引用文献１）や、マスク上端部に鼻の高さに合せたパットを設けたマスク（引用文献２）、マスクと眼鏡を併用する際に鼻の高さに合う山形の傾斜部をゴム、弾力ある金具ウレタンで形成した帯板（引用文献３）を設けることが提案されている。
【０００４】
又、マスクの装着に際して、ゴム紐を耳に掛けるとマスクが左右に引っ張られて横長の長方形になってしまうのを防ぐため、一本のゴム紐をマスクの中央で交差させ、マスクの左右で形成される耳掛けの輪の上下を逆にする構造が提案されている（引用文献４）。
【０００５】
しかし、引用文献１、２の構成は何れもマスクの上端部に非通気性柔軟性部のメガネ曇り防止装置を設置したり、鼻の形に合うパットを取り付けると云うもので、ソフトなマスクに型のある違和感のある物質を取付けるものとなる。又、その製造も何工程も増えることになりコスト上昇を避けられない。
【０００６】
引用文献３の構成は、マスクとは別の単体として構成されるため、マスクと併用する必要があり、使用に不便である。引用文献４の構成は、マスクの装着によって耳に紐を掛ける際に、横方向に引っ張られて横方向に延ばされ、縦方向が縮まり鼻や口を覆う部分が変形して了うのを防ぐもので、マスク上端縁には力が加わらず、鼻の高さによるマスクと頬との間隙を塞ぐ機能は有さない。
【先行技術文献】
【特許文献】
【０００７】
【特許文献１】特開２００８−２２９２１７号公報
【特許文献２】特開２００７−１８５４７０号公報
【特許文献３】特開２００７−２８３０４５号公報
【特許文献４】特開２００４−８９６４５号公報
【発明の概要】
【発明が解決しようとする課題】
【０００８】
本発明は、マスクを装着する際に、鼻柱によりマスク上端縁の中央が高くなり、両頬とマスク間に隙間が出来、塵埃、花粉、細菌等の吸入が鼻孔に到達し易い構造を改善し、マスクと頬との間を塞ぐ機能を備えたマスクを提供すること、更にはマスクと頬との間を、他の部材も用いずにマスクと紐だけで有効に塞げるマスクを提供すること及びマスクからの排気による眼鏡の曇りの防げるマスクを提供することを課題とする。
【課題を解決するための手段】
【０００９】
このように、本発明に於いては、マスク装着時に紐を耳に掛けることによって、マスク上端縁が横方向に引っ張られる際に、鼻により中央が高くなることにより、鼻の両端に形成されるマスクと頬との間隙をなくすことが出来る構成のマスクを得ることを目的とする。
【００１０】
又、マスクとは別構成の異物を使用することなく耳掛けに使用する紐、ゴム紐等の使用により極めて簡単な構成により上記の頬との間隙をなくすことを目的とする。
【００１１】
この目的を達成するため、マスクの外鼻孔下部対応部より上部であって、鼻の左右両脇の対応位置に、２本の緊縛紐の一端を夫々固定すると共に、該２本の緊縛紐を外鼻孔下部対応部にて交差させると共に少なくともマスクの側端部まで延設して配置したマスクを提案する。
【００１２】
又、上記マスクにおいて、マスクの側端部に配置された前記緊縛紐は、マスクの上端部側部に設けた通孔部を貫通して、マスクの外方に延設され、他端をマスクの下端部の側端部に固定され、該外方に延設された緊縛紐により耳掛部を構成したマスクを提案する。
【００１３】
又、上記マスクにおいて、マスクの側端部に配置された前記緊縛紐は、マスクの下端部側部に設けた通孔部を貫通して、マスクの外方に延設され、他端をマスクの上端部の側端部に固定され、該外方に延設された緊縛紐により耳掛部を構成したマスクを提案する。
【００１４】
又、上記マスクにおいて、前記緊縛紐の他端をマスク本体の側端部に固定すると共にマスク本体の側端部には耳掛部を別途設けたマスクを提案する。
【００１５】
又、上記マスクにおいて、前記緊縛紐の一端を固定した固定部間に補強材を設けたマスクを提案する。
【００１６】
又、上記マスクにおいて、前記緊縛紐の上端を、マスク上端縁より所定の距離を置いて下方に固定設置し、該固定部間に鼻の上を通る補強材を設けたマスクを提案する。
【００１７】
又、上記マスクにおいて、前記緊縛紐一端のマスクへの固定を選択固定自在とする所定数の固定部を設けたマスク提案する。
【００１８】
又、上記マスクにおいて、所定数の固定部は、独立してマスクに固定して設けるか、固定部をマスクに取付けたアダプターに設けたマスク提案する。
【発明の効果】
【００１９】
本発明によれば、マスク装着の際、耳懸部を耳に掛けることによりマスク上端面の緊張による頬との間に形成される間隙をなくすことになり、マスク上端面と鼻腔及び頬に密接させることが出来ることになる。これにより外気のマスク内への侵入を防ぎ、花粉、塵、埃、細菌などを完全に遮断できる。
【００２０】
更に鼻孔から排出される排気が、マスク上端面と頬との間が密接していることにより、間隙がなく頬に沿っての上昇が阻止される。従って排気がマスク内に分散され眼鏡の曇りが防止できる。
【００２１】
又、緊縛紐によって、マスクが頬、鼻と密接する構成のため他の構成要素を必要とせずマスク構造を複雑化せず簡単な構成によりマスクの装着効果を達成できる。
【図面の簡単な説明】
【００２２】
【図１】本発明一実施例平面概略説明図
【図２】本発明一実施例平面概略説明図
【図３】本発明一実施例平面概略説明図
【図４】本発明一実施例平面概略説明図
【図５】本発明一実施例平面概略説明図
【図６】本発明一実施例平面概略説明図
【発明を実施するための形態】
【００２３】
以下図に示す実施例により本発明を説明する。
マスク本体１は、布、ガーゼ、不織布等により横長の四角形に形成されている。又、横方向に何段か折返部を設け縦方向に伸縮可能とする構成としてもよい。緊縛紐２Ａ、２Ｂはゴム紐或いは折布、紐等の紐体で形成され、その一端をマスク本体１の上端縁１１上の鼻巾の間隔を置いた、固定部ａ、ｂ上に固定しておく。この際、緊縛紐２Ａ、２Ｂはマスク本体１と所定箇所を固定して緊縛度を強めることも出来る。該上端縁１１は、マスク本体１の縫着部又は他の補強材を用いた補強部としてもよい。
【００２４】
緊縛紐２Ａ、２Ａは外鼻孔下部対応部即ち外鼻孔３１、３１の下部に対応する部分で交差する構成としておく。緊縛紐２Ａ、２Ｂはその他端をマスク本体１の上端縁１１の側部に形成した通孔部１１Ａ、１１Ｂを貫通して、マスクの外方に延設され、マスク本体１の下端縁１２の側端部Ｄ又はＣに固定して、マスクの外方に延設されたゴム紐又は紐で形成した緊縛紐により耳掛部４Ａ、４Ｂを形成しておく。
【００２５】
固定部ａ、ｂは、緊縛紐２Ａ、２Ｂの一端を固定する固定部で、緊縛紐２Ａ、２Ｂをマスクに縫付、接着した部分或いはホック、鳩目等の係止具を設け、緊縛紐２Ａ、２Ｂに設けた対応係止部を固定することが出来る部分である。固定部ａ、ｂは、外鼻孔下部対応部より上方で、鼻の脇に対応するマスク１の部分に設置する。
【００２６】
固定部ａ、ｂは夫々複数個を設置し、選択使用により各人の鼻の位置に対応させて使用することが出来る構成としてもよい。更に、固定部ａ、ｂをアダプター８に所望数設置し、アダプター８を鼻の脇部対応位置に縦或は横方向に設置することも出来る。
【００２７】
又、緊縛紐２Ａは外鼻孔下部対応部を経てマスク本体１の下端縁１２に形成した通孔部１２Ｄ、緊縛紐２Ｂは、同様に通孔部１２Ｃを夫々経てマスク本体１の上端縁１１の側端部Ａ、Ｂに固定してある。
【００２８】
又、緊縛紐２Ａ、２Ｂは外鼻孔下部対応部で交差した後に、その他端をマスク本体１の側端部１３、１３に固定することも出来る。この際には、耳掛部４Ａ、４Ｂは、従来通りマスク本体１の側端部１３、１３に形成した通孔１３１、１３１を通しても良いし、上端部１１のＡ、Ｂ、下端部のＣ、Ｄに固定しても良い。
【００２９】
図１又は図２に示すように、緊縛紐２Ａを耳掛部４Ａと、緊縛紐２Ｂを耳掛部４Ｂと夫々連通又は一体化して構成することとしてもよく、図３及び図４に示すように、緊縛紐２Ａ、２Ｂと耳掛部４Ａ、４Ｂとをそれぞれ別部材で別途に構成することも出来る。
【００３０】
又、緊縛紐２Ａ、２Ｂとマスク本体１の配置関係は、緊縛紐２Ａ、２Ｂをマスク本体１の内側に包み込むように設置するのが好ましく、更には緊縛紐２Ａ、２Ｂの通路が形成されるように、マスク本体１を縫着等して緊縛紐２Ａ、２Ｂの位置の固定化が出来れば尚良い。
【００３１】
通孔部１１Ａ、１１Ｂ、１２Ｃ、１２Ｄは緊縛部２Ａ、２Ｂが通行可能にマスク本体１の一部を開口及び縫合して緊縛紐２Ａ、２Ｂの通路或いは鳩目孔を作る構成或いはマスク本体１上に輪を別途構成する等して構成することが出来る。又、マスク本体１の上端部１１に、緊縛紐２Ａ、２Ｂの固定部ａ、ｂ間に針金、プラスチック板等で構成した補強材５を接着や縫合等して設置しておくことは推奨される。
【００３２】
次いで、その使用について説明すると、マスク本体１を鼻３及び口６を覆って耳掛部４Ａ、４Ｂを両耳７、７に掛ける。その際、緊縛紐２Ａ、２Ｂの固定部ａ、ｂを下圧し、上端部１１を鼻３に押圧する。これにより、緊縛紐２Ａ、２Ｂは夫々に鼻の左右両脇より外鼻孔３１、３１の下部を経て逆方向に引かれることになり、マスク上端部１１を下方に引き頬に圧接させることになると共に固定部ａ、ｂを鼻３の両脇に密接させることになり、マスク上端部と頬との間隙をなくすことになる。従って、マスク本体１の上端部１１は、鼻に密接して、更に外鼻孔３１、３１は、緊縛紐２Ａ、２Ｂの交差緊縛により、マスク本体１内と外気の遮断が行われる。この結果、外気と共に花粉、塵埃、細菌等の侵入従って鼻孔３１、３１からの吸引が阻止される。
【００３３】
更には、鼻孔３１、３１から吐出される息も上端面１１からの排出が阻止され、マスク本体１内を経て徐々にマスク外側に排気される。緊縛紐２Ａ、２Ｂは、通孔１２Ｃ、１２Ｄを通る際でも他の１１Ａ、１１Ｂ、１２Ｃ、１２Ｄを通る際でも、その動作は殆ど変ることはない。
【実施例１】
【００３４】
図１により本発明の一実施例を説明する。マスク本体１の上端部に鼻の左右両脇に対応する位置で緊縛紐２Ａ、２Ｂの夫々一端を固定する。緊縛紐２Ａ、２Ｂを外鼻孔３１、３１の下部対応部で交差させ、マスク上端部側部に設けた通孔部１１Ａ、１１Ｂを貫通させ、マスクの外方に延設された緊縛紐は、他端を夫々マスクの下端部１２の側端部Ｃ、Ｄに固定させ、該外方に延設された緊縛紐により耳掛部を４Ａ、４Ｂを形成させる。
【実施例２】
【００３５】
図２により本発明の一実施例を説明する。マスク本体１の上端部に鼻の左右両脇に対応する位置で緊縛紐２Ａ、２Ｂの各一端を固定する。緊縛紐２Ａ、２Ｂは外鼻孔３１、３１の下部対応部で交差させ、マスク本体１の下端部側部に設けた通孔部１２Ｄ、同１２Ｃを貫通させ、マスクの外方に延設された緊縛紐は、他端を夫々マスクの上端部１１の側端部Ａ、Ｂに固定させ、該外方に延設された緊縛紐により耳掛部４Ａ、４Ｂを形成させる。
【実施例３】
【００３６】
図３により本発明の一実施例を説明する。マスク本体１の上端部に鼻の左右両脇に対応する位置で緊縛紐２Ａ、２Ｂの各一端を固定する。緊縛紐２Ａ、２Ｂの他端はマスク本体１の側端部１３の略中央に固定する。該側端部１３には通孔１３１、１３１を形成し、一方の側端部１３の通孔１３１には、通孔１１Ａ、同１２Ｄを通して耳掛部４Ａを通して設置し、他方の側端部１３には同様に通孔１１Ｂ、同１２Ｃを通して耳掛部４Ｂを通して設置している。
【実施例４】
【００３７】
図４により本発明の一実施例を説明する。この構成は、実施例３の構成と同じであるが、マスク本体１の上端部１１に緊縛紐２Ａ、２Ｂを固定した固定部ａ、ｂ間に補強材５を設け、緊縛紐２Ａ、２Ｂが外鼻孔下部対応部にて交差して、夫々に鼻の左右両脇より外鼻孔３１、３１の下部を経て逆方向に引かれるようにする際に固定部ａ、ｂを強く鼻脇、頬に密接させる構成である。
【実施例５】
【００３８】
図５により本発明の一実施例を説明する。この構成は、実施例４の構成と近いが、緊縛部２Ａ、２Ｂの一端の固定部ａ、ｂを上端部１１より下方に設置し、固定部ａ、ｂ間に補強材５を設け、固定部ａ、ｂを強く鼻脇に密接させる構成であり、マスクの閉塞をより強くさせたものである。
【実施例６】
【００３９】
図６により本発明の一実施例を説明する。この構成は、固定部ａ、ｂを複数設置したアダプター８、８を鼻の両脇に設置した構成で、着用者によって異なる鼻の形に対応して、ａ１及びｂ１を選択するかａ２及びｂ２又はａ３及びｂ３を選択して緊縛紐２Ａ、２Ｂの一端を固定又は係止して、各緊縛紐２Ａ、２Ｂをマスク本体１の側端部１３、１３まで延設して配置するものである。
【産業上の利用可能性】
【００４０】
本発明のマスクは、装着態様は従来のマスクと同様、耳掛部を耳に掛けるだけの操作で簡単に装着できる構成でありながら、通常形成される鼻による頬との隙間を防ぎ、マスク上面の呼気の出入を防ぐことが出来る。このため、一般の家庭用として用いられる他に、工場、作業所等の作業に於いても極めて有効でその用途は極めて広範である。これにより大量の生産が求められ、流通規模の拡大が期される。
【符号の説明】
【００４１】
１      マスク
２Ａ    緊縛紐
２Ｂ    緊縛紐
３      鼻
４Ａ    耳掛部
４Ｂ    耳掛部
５      補強材
６      口
７      耳
８      アダプター
【図１】
0006349483.tif 000002
【図２】
0006349483.tif 000003
【図３】
0006349483.tif 000004
【図４】
0006349483.tif 000005
【図５】
0006349483.tif 000006
【図６】
0006349483.tif 000007